(57)【要約】      （修正有）【課題】ファイルのサイズを必要以上に大きくすることなく十分な強度を有することができ、繰り返し使用しても貼着部が剥がれない紙製のファイルを提供する。【解決手段】一枚の紙からなり被収容物を挟んで収容するファイル１であって、略矩形状のシート状部材である第一シート状部材１１と、第一シート状部材１１と略同形のシート状部材であり、四辺のうち一辺が第一シート状部材１１の一辺と連設される第二シート状部材１２と、第一シート状部材１１の、第二シート状部材１２と連設する辺と隣接する二辺のうちいずれか一方と連設される第三シート状部材１３とを備え、第二シート状部材１２が第一シート状部材１１と第三シート状部材１３との間に挟まれるよう、折り目と折り目とに沿って折り重ねられた状態で、第二シート状部材１２と第三シート状部材１３とを貼着する。【選択図】図１
0003234475.tif 000002
【実用新案登録請求の範囲】
【請求項１】
一枚の紙からなり被収容物を挟んで収容するファイルであって、
略矩形状のシート状部材である第一シート状部材と、
前記第一シート状部材と略同形のシート状部材であり、四辺のうち一辺が該第一シート状部材の一辺と連設される前記第二シート状部材と、
前記第一シート状部材の、前記第二シート状部材と連設する辺と隣接する二辺のうちいずれか一方と連設される第三シート状部材と、
を備え、
前記第二シート状部材が前記第一シート状部材と前記第三シート状部材との間に挟まれるよう、前記第一シート状部材と前記第二シート状部材との境界線及び前記第一シート状部材と前記第三シート状部材との境界線とに沿って折り重ねられた状態で、前記第二シート状部材と前記第三シート状部材とが貼着されてなるファイル。
【請求項２】
請求項１に記載のファイルであって、
前記第一シート状部材及び前記第二シート状部材は、略長方形のシート状部材であり、
前記一シート状部材の一方の長辺と前記第二シート状部材の一方の長辺とが連設され、
前記第三シート状部材が、前記第一シート状部材の一方の短辺と連設されることを特徴とするファイル。
【請求項３】
請求項１又は請求項２に記載のファイルであって、
トレーシングペーパーからなることを特徴とするファイル。
【考案の詳細な説明】
【技術分野】
【０００１】
本考案は、被収容物を挟んで収容するファイルに関する。
【背景技術】
【０００２】
書類等の被収容物を挟んで収容する文具として、ファイルが知られている。一般的なファイルは、プラスチック製の略矩形のシート状部材が２つ折りにされ、折り辺と隣接する２辺のうち、一方の辺の縁部の内側同士が溶着されてなり、間に書類等を挟んで使用される。このようなファイルは、安価でデザインもしやすいので、広告をはじめとした配布物や記念品としても使用されている。
【０００３】
しかしながら、現在、プラスチック製品の使用を抑えようとする運動、いわゆる、「脱プラ運動」が活発になっており、プラスチック製品であるファイルの利用は好ましいとはいえない。
【０００４】
このため、プラスチック製ファイルの代替商品として、例えば、特許文献１では、紙製のファイルに係る技術が開示されている。特許文献１に開示される紙製のファイルは、紙製の略矩形のシート状部材が２つ折りにされ、折り辺と隣接する２辺のうち、一方の辺の縁部の内側同士が糊等で貼着されてなる。すなわち、構成は、プラスチック製のファイルと略同一の構成でありながら、紙製であるため、「脱プラ運動」に沿った商品として提供可能である。
【先行技術文献】
【特許文献】
【０００５】
【特許文献１】実用新案登録第３２２６９９５号公報
【考案の概要】
【考案が解決しようとする課題】
【０００６】
しかしながら、特許文献１に開示される紙製のファイルは、辺の縁部の内側同士が糊等で貼着されてなるため、ファイル全体のサイズを被収容物（例えばＡ４サイズの書類）よりひとまわり大きいサイズに留めようとすると、シート状部材を貼着する部分（以下、「貼着部」という。）を小さくするしかなく、紙製のファイルの強度は十分とはいえなかった。逆に、紙製のファイルの強度を高めるために、貼着部を大きくしようとすると、ファイルのサイズが大きくなるため好ましくない。
【０００７】
また、辺の縁部の内側同士が糊等で貼着されてなる構成上、ファイルを開く方向に力を加えると、貼着部で貼着されたシート状部材を引き離す方向に力が加わることとなり、紙製のファイルを繰り返し使用しているうちに、貼着部の強度が弱まり、貼着部が剥がれてしまうといった問題があった。
【０００８】
本考案は従来のこのような事情に鑑みてなされたものである。本考案の主な目的は、ファイルのサイズを必要以上に大きくすることなく十分な強度を有することができ、繰り返し使用しても貼着部が剥がれない紙製のファイルを提供することにある。
【課題を解決するための手段及び考案の効果】
【０００９】
本考案の第１の側面に係るファイルは、一枚の紙からなり被収容物を挟んで収容するファイルであって、略矩形状のシート状部材である第一シート状部材と、前記第一シート状部材と略同形のシート状部材であり、四辺のうち一辺が該第一シート状部材の一辺と連設される前記第二シート状部材と、前記第一シート状部材の、前記第二シート状部材と連設する辺と隣接する二辺のうちいずれか一方と連設される第三シート状部材とを備え、前記第二シート状部材が前記第一シート状部材と前記第三シート状部材との間に挟まれるよう、前記第一シート状部材と前記第二シート状部材との境界線及び前記第一シート状部材と前記第三シート状部材との境界線とに沿って折り重ねられた状態で、前記第二シート状部材と前記第三シート状部材とを貼着できる。
【００１０】
本考案の第２の側面に係るファイルは、前記第一シート状部材及び前記第二シート状部材は、略長方形のシート状部材であり、前記一シート状部材の一方の長辺と前記第二シート状部材の一方の長辺とが連設され、前記第三シート状部材が、前記第一シート状部材の一方の短辺と連設されることを特徴とできる。
【００１１】
前記構成によれば、従来の紙製のファイルと異なり、第二シート状部材と第三シート状部材とを貼着することで、間接的に、第一シート状部材と第二シート状部材とを貼着することができる。すなわち、第三シート状部材全体を貼着部にできるため、ファイルのサイズを必要以上に大きくすることなく、貼着部を大きくし、ファイルの強度を高めることができる。
【００１２】
また、第二シート状部材が第一シート状部材と第三シート状部材との間に挟まれた状態、すなわち、第三シート状部材がファイルの外側から第二シート状部材に貼着される構成であるため、ファイルを開く方向に力を加えても、貼着部で貼着されたシート状部材を引き離す方向に力が加わることがない。これにより、ファイルを繰り返し使用しても、貼着部が剥がれない。
【００１３】
本考案の第３の側面に係るファイルは、トレーシングペーパーから製造することができる。
【００１４】
前記構成によれば、透過性を有するトレーシングペーパーから製造可能であるため、収容された被収容物の内容を透かして確認することができる。
【図面の簡単な説明】
【００１５】
【図１】本考案の第一実施例に係るファイルの模式図である。
【図２】ファイルの製造方法に係るフローチャートである。
【図３】本考案の第一実施例に係るファイルを展開した状態の模式図である。
【考案を実施するための形態】
【００１６】
以下、本考案の実施の形態を図面に基づいて説明する。ただし、以下に示す実施の形態は、本考案の技術思想を具体化するための例示であって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
［ファイル１］
【００１７】
本考案の一実施の形態に係るファイル１は、一枚の紙からなり、図１に示すように、第一シート状部材１１、第二シート状部材１２及び第三シート状部材１３を備えるファイルである。各部材について、以下で説明する。
〈第一シート状部材１１〉
【００１８】
第一シート状部材１１は、２２０ｍｍ×３１０ｍｍの略長方形状のトレーシングペーパーであって、図１に示すように、一方の長辺ＬＳに第二シート状部材１２が連設され、一方の短辺ＳＳに第三シート状部材１３が連設される部材である。
【００１９】
また、第一シート状部材１１は指ぬき穴１１１を有しているため、ファイル１は、間に挟んだ書類等を容易に取り出すことができる。
〈第二シート状部材１２〉
【００２０】
第二シート状部材１２は、２２０ｍｍ×３１０ｍｍの略長方形状のトレーシングペーパーであって、図１に示すように、一方の長辺ＬＳに第一シート状部材１１が連設され、一方の短辺ＳＳの近傍に第三シート状部材１３が貼着される部材である。
〈第三シート状部材１３〉
【００２１】
第三シート状部材１３は、略台形状のトレーシングペーパーであって、図１に示すように、第一シート状部材１１の一方の短辺ＳＳに連設され、第二シート状部材１２の一方の短辺ＳＳの近傍に貼着される部材である。
【００２２】
すなわち、ファイル１は、従来の紙製のファイルと異なり、第二シート状部材１２と第三シート状部材１３とを貼着することで、間接的に、第一シート状部材１１と第二シート状部材１２とを貼着することができる。これにより第三シート状部材１３全体を貼着部にできるため、ファイルのサイズを必要以上に大きくすることなく、貼着部を大きくし、ファイルの強度を高めることができる。
【００２３】
なお、ファイル１の態様は前述のものに限定されず、各部材の大きさ、指ぬき穴１１１の有無、指ぬき穴１１１の位置、貼着方法等は適宜変更できる。また、第一シート状部材１１と第二シート状部材１２とが長辺ＬＳで連設し、第一シート状部材１１と第三シート状部材１３とが短辺ＳＳで連設する態様に限定されず、第一シート状部材１１と第二シート状部材１２とが短辺ＳＳで連設し、第一シート状部材１１と第三シート状部材１３とが長辺ＬＳで連設する態様にしてもよい。さらにまた、材料も所望の紙を用いることができるが、透過性を有するトレーシングペーパーを用いれば、収容された被収容物の内容を透かして確認することができる（従来のクリアファイルと同様の使い方ができる。）。また、材料となる紙を加工（例えば、印刷を施したり、防水加工したり、香りをつけたり）することで、ファイル１に様々な効果を付与することも可能である。
［ファイル１の製造方法］
【００２４】
以下で、ファイル１の製造方法について図２のフローチャートに基づいて説明する。
【００２５】
まず、ステップＳＴ１０１で、図３に示すように、ファイル１を展開した状態の形状で、トレーシングペーパーを裁断する。
【００２６】
次に、ステップＳＴ１０２で、図３に点線で示す位置に折り目ＬＦ、ＳＦを形成する。この折り目ＬＦ、ＳＦが、それぞれ、ファイル１における長辺ＬＳと短辺ＳＳとなる。
【００２７】
次いで、ステップＳＴ１０３で第三シート状部材１３に糊を塗布し、ステップＳＴ１０４でトレーシングペーパーを（１）折り目ＬＦ、（２）折り目ＳＦの順で折り畳む。これにより、第二シート状部材１２が第一シート状部材１１と第三シート状部材１３との間に挟まれた状態、すなわち、第三シート状部材１３がファイル１の外側から第二シート状部材１２に貼着される構成であるため、ファイル１を開く方向に力を加えても、第一シート状部材１１と第二シート状部材１２とを引き離す方向に力が加わることがなく、ファイルを繰り返し使用しても、貼着部が剥がれない。
【００２８】
なお、ファイル１の製造方法は前述のものに限定されない。ステップＳＴ１０１においてトレーシングペーパーを裁断する方法と、ステップＳＴ１０２において折り目を形成する方法も特に限定されないが、例えば、トムソン加工機を用いれば、ステップＳＴ１０１とステップＳＴ１０２を同時に行うことができるので、効率的である。また、ステップＳＴ１０１とステップＳＴ１０２は、１つのファイル１に対する工程に限定されず、１回の工程で、複数のファイル１の製造に必要な裁断と折り目の形成とを行うようにしてもよい。
【００２９】
以上説明したように、本考案の一実施の形態に係るファイル１は、一枚の紙からなるため、プラスチック製ファイルの代替商品にでき、「脱プラ運動」に沿った商品として提供可能である。また、ファイル１は、従来の紙製のファイルと異なり、ファイルのサイズを必要以上に大きくすることなく、ファイルの強度を高めることができ、繰り返し使用しても、貼着部が剥がれないので、好適に使用可能である。
【符号の説明】
【００３０】
１…ファイル
１１…第一シート状部材
１１１…指ぬき穴
１２…第二シート状部材
１３…第三シート状部材
ＬＳ…長辺
ＳＳ…短辺
ＬＦ…折り目
ＳＦ…折り目
【図１】
0003234475.tif 000003
【図２】
0003234475.tif 000004
【図３】
0003234475.tif 000005